(57)【要約】【課題】従来のような小ネジや取付金具を用いることなく、壁パネルに簡単に後付けできて部材コストダウン、施工コストダウンを図れる電設用ボックスを提供する。【解決手段】ボックス分割体１１，１２からなる伸縮自在な電設用ボックスＢを短縮させた状態で壁パネルＷの表面側から該壁パネルの開口２５に嵌めこむ。しかる後、電設用ボックスＢを開口大きさ一杯に伸長させると、各ボックス分割体１１，１２の突起片１５，１６を壁パネルＷの裏面に当接させることができ、ワンタッチで電設用ボックスＢを壁パネルＷに仮止めできる。スイッチやコンセント等の配線器具Ａは壁パネルＷの表面に当てがいボックス本体１０にビス２６で締め付けると、配線器具Ａと突起片１５，１６をもって壁パネルＷの表裏両面を挟着できて電設用ボックスＢが壁パネルＷの開口２５内に固定される。【選択図】　　　図３
2004112933.tif 000002
【特許請求の範囲】
【請求項１】
壁パネルの開口内に後付けされる電設用ボックスであって、相対移動可能に接合された複数個のボックス分割体により少なくとも前記開口の大きさよりも小さい寸法にまで短縮できるよう伸縮自在に構成された前方開放状のボックス本体と、各ボックス分割体の外周一部から突設され、前記ボックス本体が前記開口に嵌め込まれるとともに伸長することで前記壁パネルの裏面に当接する突起片とを備えていることを特徴とする、電設用ボックス。
【請求項２】
前記ボックス本体に、後方へ起立可能な奥行き増長用脚部を設けてある、請求項１記載の電設用ボックス。
【請求項３】
相対移動可能に接合された複数個のボックス分割体により伸縮自在に構成された前方開放状のボックス本体と、各ボックス分割体の外周一部に突設されたパネル裏面当て用の突起片とを備えており、前記ボックス本体が壁パネルの表面側から該壁パネルの開口内に嵌め込まれていると共に、前記突起片が壁パネルの裏面に当接されており、配線器具が前記壁パネルの表面上に当てがわれると共に前記ボックス本体にビスで締め付け固定され、前記壁パネル表面上の前記配線器具と前記突起片をもって壁パネルの表裏両面が挟着されていることを特徴とする、壁パネルへの電設用ボックス取付構造。
【発明の詳細な説明】
【０００１】
【発明の属する技術分野】
本発明は、間仕切り壁等の壁パネルの開口内に後付けされるスイッチボックス等の電設用ボックス、及び壁パネルへの電設用ボックス取付構造に関する。
【０００２】
【従来の技術】
この種の電設用ボックスは、たとえば、図１４に示すように、前方開放状の四角形状に形成されたボックス６０の開口前端縁の数箇所から翼片状の突起物６１を外側方へ張出し形成する一方、該ボックス６０の対向壁面６２，６２にそれぞれ小ネジ６３を前後方向に装着すると共に、該小ネジ６３の先端に爪状の取付金具６４を螺合挿通している。
【０００３】
この電設用ボックスの壁パネルへの取り付けに際しては、図１５に示すように、壁パネルＷの所定位置に開口２５をあけ、ボックス６０を壁パネルＷの表面側から開口２５内に嵌め込んで突起物６１を壁パネルＷの表面に当接し、小ネジ６３を締め付けると取付金具６４がボックス６０の対向壁面６２，６２から外方に突出すると共に前進移動して壁パネルＷの裏面に当接し、突起物６１と取付金具６４をもって壁パネルＷの表裏両面を挟むことによりボックス６０が壁パネルＷの開口２５内に固定される。したがって、この電設用ボックスによれば、壁パネルＷの表面側から小ネジ６３を締め付けることにより壁パネルＷの表裏両面を挟着できるので、間仕切り壁パネル等、木ねじの効かない石膏ボードや木板等への電設用ボックスの後付けに最適である。なお、そのように壁パネルＷに固定された電設用ボックス６０にはスイッチやコンセント等の配線器具Ａが前記小ネジ６３とは別のビス６５で締め付け固定される（例えば、特許文献１参照。）。
【０００４】
【特許文献１】
実開昭５０−１３７５９４号公報（第２〜３頁、第１〜３図）
【０００５】
【発明が解決しようとする課題】
しかるに、かかる後付け可能な電設用ボックスでは少なくとも２本の小ネジ６３及び２つの取付金具６４の二種の付帯部材を必要とし、それだけ部材点数およびネジ締め付け工数が増大し、部材コストアップや施工コストアップを招くという問題があった。
【０００６】
本発明は、このような問題を解決するためになされたものであり、上記のような小ネジや取付金具を用いることなく、電設用ボックスを伸縮させるだけのワンタッチ操作で壁パネルの開口に仮止めでき、また配線器具を利用して壁パネルを挟着できて部材コストダウン、施工コストダウンを図れる電設用ボックス及び壁パネルへの電設用ボックス取付構造を提供することを目的とする。
【０００７】
【課題を解決するための手段】
本発明の電設用ボックスは、壁パネルの開口内に後付けされる電設用ボックスであって、相対移動可能に接合された複数個のボックス分割体により少なくとも前記開口の大きさよりも小さい寸法にまで短縮できるよう伸縮自在に構成された前方開放状のボックス本体と、各ボックス分割体の外周一部に突設され、前記ボックス本体が前記開口に嵌め込まれるとともに伸長することで前記壁パネルの裏面に当接する突起片とを備えていることに特徴を有するものである。この場合において、前記ボックス本体に、後方へ起立可能な奥行き増長用脚部を設けることができる。
【０００８】
本発明の壁パネルへの電設用ボックス取付構造は、相対移動可能に接合された複数個のボックス分割体により伸縮自在に構成された前方開放状のボックス本体と、各ボックス分割体の外周一部に突設されたパネル裏面当て用の突起片とを備えており、前記ボックス本体が壁パネルの表面側から該壁パネルの開口内に嵌め込まれていると共に、前記突起片が壁パネルの裏面に当接されており、配線器具が前記壁パネルの表面上に当てがわれると共に前記ボックス本体にビスで締め付け固定され、前記壁パネル表面上の前記配線器具と前記突起片をもって壁パネルの表裏両面が挟着されていることに特徴を有するものである。
【０００９】
【作用】
上記構成の電設用ボックス及びこれの取付構造によれば、ボックス本体は伸縮自在であるのでこれを短縮することにより壁パネルの表面側から該壁パネルの開口内に容易に嵌めこむことができる。しかる後、ボックス本体を開口大きさ一杯に伸長させると、各ボックス分割体の突起片を壁パネルの裏面に当接させることができ、ワンタッチ操作で電設用ボックスを壁パネルに仮止めできる。そして、スイッチやコンセント等の配線器具を壁パネルの表面に当てがい電設用ボックスにビスで締め付けると、配線器具と突起片をもって壁パネルの表裏両面を挟着できて電設用ボックスが壁パネルの開口内に固定されるとともに、電設用ボックスに配線器具が取り付けられる。
電設用ボックスは伸縮させることにより伸縮方向の長さを可変できるので、ひとつの電設用ボックスを数種サイズの電設用ボックスに共用できる。
【００１０】
【発明の実施の形態】
本発明の好適な実施形態を図面に基づき説明する。図１は一実施例の電設用ボックスの斜視図、図２は図１の電設用ボックスの後付け途上の状態を示す縦断側面図、図３は図１の電設用ボックスの後付け完了の状態を示す縦断側面図である。
【００１１】
本発明の電設用ボックスＢは、図１に示すように、上下縦方向に相対移動可能に接合された上下一対のプラスチック製のボックス分割体１１，１２により前方開放状のボックス本体１０を伸縮自在に構成する。上側のボックス分割体１１は前方及び下方が開放する四角形箱状に形成され、下側のボックス分割体１２は前方及び上方が開放する四角形箱状に形成されている。各ボックス分割体１１，１２の外周一部、すなわち図示例の上側のボックス分割体１１では上面壁１３に、下側のボックス分割体１２では下面壁１４にそれぞれパネル裏面当て用の突起片１５，１６がボックス分割体１１，１２の開口前端面より壁パネルＷの略厚みｔ（図２参照）分だけ後方へずれた位置に段付き状に突設されている。
【００１２】
上記ボックス本体１０において、上下のボックス分割体１１，１２の相対移動可能な接合手段としては、例えば、図１に示すように、上側のボックス分割体１１の側面壁１７，１７にそれぞれ角形の透孔１８を設ける一方、前記側面壁１７，１７の内面に重なり合う下側のボックス分割体１２の側面壁１９，１９の各上端部外側にそれぞれ摺動突起２０を設けて、この摺動突起２０，２０を前記透孔１８，１８に上下縦方向にスライド自在に嵌合することにより上下のボックス分割体１１，１２は、図１に示すごとく透孔１８内の上縁１８ａと摺動突起２０の上縁２０ａとが当接する最も短縮した状態から透孔１８内の下縁１８ｂと摺動突起の下端縁２０ｂとが当接する最大伸長状態にわたって上下縦方向に真っ直ぐに所定ストロークだけ相対移動可能としている。電設用ボックスＢは少なくとも壁パネルＷの開口２５（図２参照）の縦寸法よりも小さい寸法にまで短縮できるよう伸縮自在に構成される。図１において、Ｓはボックス本体１０の最大伸び代を示す。上記とは反対に、上側のボックス分割体１１の側面壁１７，１７に摺動突起２０，２０を、下側のボックス分割体１２の側面壁１９，１９に透孔１８，１８をそれぞれ設けることもできる。
【００１３】
上側のボックス分割体１１の上面壁１３、および下側のボックス分割体１２の下面壁１４にはそれぞれ電線管や電線導入用のノック穴２１、開放穴２２を設けており、また上下のボックス分割体１１，１２の各内部にはナット２３をインサート成形したボス２４を前後方向に設けている。
【００１４】
上記構成の電設用ボックスＢを間仕切り壁パネル等の壁パネルＷに後付けするには、図２に示すように、壁パネルＷに開口２５をあけ、電設用ボックスＢを開口２５の大きさよりも小さい寸法に短縮させると共に壁パネルＷ内より引き出される電線Ｃに通したうえで壁パネルＷの表面側から開口２５に嵌めこむ。しかる後、開口２５より手を入れて電設用ボックスＢを開口２５の大きさ一杯に伸長させると、図３に示すように、上側のボックス分割体１１の上面壁１３の突起片１５より前方の外面、及び下側のボックス分割体１２の下面壁１４の突起片１６より前方の外面がそれぞれ開口２５内周の上下部に当接するとともに、上下の各ボックス分割体１１，１２の突起片１５，１６が壁パネルＷの裏面に当接し、これにより電設用ボックスＢは壁パネルＷの開口２５内にがたつくことなくしかもワンタッチ操作で仮止めできる。次いで、スイッチやコンセント等の配線器具Ａを電線Ｃと結線した後に壁パネルＷの表面側に当てがって、ビス２６を配線器具Ａのビス挿通穴２７に挿通させるとともに、ボックス分割体１１，１２内のナット２３の雌ねじにねじ込んで締め付ける。すると、壁パネルＷ表面上の配線器具Ａと壁パネルＷ裏面上の突起片１５，１６でもって壁パネルＷの表裏両面を挟着できて電設用ボックスＢが壁パネルＷの開口２５内に固定されるとともに、電設用ボックスＢに配線器具Ａが取り付けられる。
【００１５】
上記実施例ではボックス本体１０が一対のボックス分割体１１，１２を上下縦向きにして上下縦方向に相対移動可能に接合してなるが、これに代えて、一対のボックス分割体１１，１２を左右横向きにして左右横方向に相対移動可能に接合することもできる。
【００１６】
（他の実施例）
また、電設用ボックスＢのボックス本体１０は上下又は左右２個のボックス分割体１１，１２で構成する以外に、図４ないし図６に示すように、上下又は左右２個のボックス分割体３１，３２と中間のボックス分割体３３のスリーピースを組み合わせて構成することもできる。
【００１７】
この場合、中間のボックス分割体３３に対して上下又は左右２個のボックス分割体３１，３２が上下縦方向又は左右横方向に相対移動可能に接合される。中間のボックス分割体３３は、図９に示すように、前方及び上下方向が開放する断面リップ溝形状に形成されて、両側面壁４７，４７、側面壁４７，４７の各前端に内向きに張り出したリップ４７ａ，４７ａ，及び側面壁４７，４７の後端どうしをつなぐ後面壁４４を有してなる。図４に示すように、上下２個のボックス分割体３１，３２のうち上側のボックス分割体３１は前方及び下方が開放する四角形箱状に形成され、下側のボックス分割体３２は前方及び上方が開放する四角形箱状に形成され、両者は上下対称に形成されて、中間のボックス分割体３３内の後面壁４４とリップ４７ａ，４７ａとの間に相対移動可能に嵌め込まれる。
【００１８】
図４に示すように、上下のボックス分割体３１，３２の各外周一部、すなわち上側のボックス分割体３１では上面壁３４の前端からパネル裏面当て用の突起片３６が上向きに突設され、下側のボックス分割体３２では下面壁３５の前端からパネル裏面当て用の突起片３７が下向きに突設されている。上側のボックス分割体３１の上面壁３４の前端両側から開口嵌合用の突起３８，３８が、また下側のボックス分割体３２の下面壁３５の前端両側から開口嵌合用の突起片３９，３９がそれぞれ前向きに突設されている。この開口嵌合用の突起３８，３９は上下面壁３４，３５の前端からの突出長さは、壁パネルＷの略厚みｔ（図１３参照）程度に設定してある。
【００１９】
中間のボックス分割体３３に対して上下のボックス分割体３１，３２を相対移動可能に接合する手段としては、図７ないし図９に示すように、上下のボックス分割体３１，３２の後面壁４０，４１にそれぞれ断面Ｔ形のスライド突起４２，４３を設ける一方、中間のボックス分割体３３の後面壁４４にスライド案内溝４５を上下縦方向に設けて、上下のボックス分割体３１，３２をそれぞれ中間のボックス分割体３３の後面壁４４とリップ４６との間にスライド自在に差し込むとともに、上下のボックス分割体３１，３２のスライド突起４２，４３を中間のボックス分割体３３のスライド案内溝４５にスライド自在に嵌め込む。
【００２０】
図７ないし図９に示すように、上側のボックス分割体３１の上面壁３４、後面壁４０、および下側のボックス分割体３２の下面壁３５、後面壁４１にはそれぞれ電線管や電線導入用のノック穴２１を設けており、また上下のボックス分割体３１，３２の各内部にはナット２３をインサート成形したボス２４を前後方向に設けている。
【００２１】
図１０ないし図１２に示すように、中間のボックス本体３３の後面壁４４の両端部から両側面壁４７，４７にわたって断面Ｌ形状の奥行き増長用脚部４８，４８をそれぞれ後方へ起立可能に設けてある。奥行き増長用脚部４８の周縁の一箇所又は数箇所は側面壁４７の切欠部４７ａに対し分断容易な繋ぎ部４９によって繋がれており、奥行き増長用脚部４８の周縁の他の箇所は後面壁４４に対し薄肉ヒンジ部５０によって繋がれている。かくして、奥行き増長用脚部４８は、図１２に仮想線Ｆで示すように、繋ぎ部４９を切り離し、薄肉ヒンジ部５０を支点にして後方へ９０度起立状に塑性変形させることができるようになしている。
【００２２】
しかるときは、上記構成の電設用ボックスＢを間仕切り壁パネル等の壁パネルＷに後付けするには、図１３に示すように、電設用ボックスＢを壁パネルＷの開口２５の大きさよりも小さい寸法に短縮させたうえで壁パネルＷの表面側から開口２５に嵌め込み、しかる後、開口２５より手を入れて上下のボックス分割体３１，３２を開口２５の大きさ一杯に伸長させる。すると、上下のボックス分割体３１，３２の開口嵌合用の突起３８，３９がそれぞれ開口２５内周の上下部に当接するとともに、上下の各ボックス分割体３１，３２のパネル裏面当て用の突起片３６，３７が壁パネルＷの裏面に当接し、これにより電設用ボックスＢは壁パネルＷの開口２５内にがたつくことなくしかもワンタッチ操作で仮止めできる。以後は、上記実施例の場合と同様に、スイッチやコンセント等の配線器具Ａを電線Ｃと結線した後に壁パネルＷの表面側に当てがい、ビス２６を配線器具Ａのビス挿通穴２７に挿通させるとともに、ボックス分割体３１，３２内の各雌ねじ２３にねじ込んで締め付ける。これにより、壁パネルＷ表面上の配線器具Ａと壁パネルＷ裏面上の突起片３６，３７でもって壁パネルＷの表裏両面を挟着できて電設用ボックスＢが壁パネルＷの開口２５内に固定されるとともに、電設用ボックスＢに配線器具Ａが取り付けられる。
【００２３】
その際、図１３において、壁パネルＷの後方に対向配備された裏板５１が実線で示す位置よりも後方位置（図１３に仮想線Ｇで示す位置）にあって、この仮想線Ｇで示す裏板５１と壁パネルＷとの間の間隔寸法（壁裏空間）が、奥行き増長用脚部４８を起立させる前の状態での電設用ボックスＢの奥行き寸法よりも比較的大きい場合は、予め図１２に仮想線Ｆで示すごとく奥行き増長用脚部４８を前述の要領で後方へ起立状に塑性変形させたうえで、電設用ボックスＢを壁パネルＷの開口２５内に嵌め込む。これにより奥行き増長用脚部４８の自由端部４８ａ（図１２参照）が図１３に仮想線で示すごとく裏板５１に当接するため電設用ボックスＢは壁パネルＷの開口２５内に安定よく納められる。ボックス本体３３から奥行き増長用脚部４８を起立させた跡に側面壁４７及び後面壁４４にできる穴は電線管や電線導入用のノック穴として利用することができる。なお、この奥行き増長用脚部４８は図１に示す電設用ボックスＢにも同様に設けることができることは言うまでもない。
【００２４】
図５に示す電設用ボックスＢはボックス分割体３１，３２を上下縦向きにして中間のボックス分割体３３に対し上下縦方向に相対移動可能に接合してなるが、これに代えて、ボックス分割体３１，３２，３３を左右横向きにしてボックス分割体３１，３２を中間のボックス分割体３３に対し左右横方向に相対移動可能に接合することもできる。
【００２５】
【発明の効果】
以上説明したように、本発明によれば、従来の後付け可能な電設用ボックスのような小ネジや取付金具の付帯部材を一切用いることなく、電設用ボックスを伸縮させるだけのワンタッチ操作で壁パネルの開口に仮止めでき、また配線器具を利用して壁パネルを挟着できるので、部材コストダウン、施工コストダウンを図ることができ、またひとつの電設用ボックスを数種サイズの電設用ボックスに共用できる利点がある。
【図面の簡単な説明】
【図１】本発明の一実施例の電設用ボックスの斜視図である。
【図２】図１の電設用ボックスの後付け途上の状態を示す縦断側面図である。
【図３】図１の電設用ボックスの後付け完了の状態を示す縦断側面図である。
【図４】他の実施例の電設用ボックスの斜視図である。
【図５】図４の電設用ボックスの正面図である。
【図６】図４の電設用ボックスの側面図である。
【図７】図４の電設用ボックスを伸長状態で示す正面図である。
【図８】図４の電設用ボックスを伸長状態で示す半欠截側面図である。
【図９】図８におけるＤ−Ｄ線断面図である。
【図１０】図４の電設用ボックスの奥行き増長用脚部の正面図である。
【図１１】図４の電設用ボックスの奥行き増長用脚部の底面図である。
【図１２】図１０におけるＥ−Ｅ線断面図である。
【図１３】図４の電設用ボックスの後付け完了の状態を示す縦断側面図である。
【図１４】従来例の電設用ボックスの斜視図である。
【図１５】従来例の電設用ボックスの後付け完了の状態を示す縦断側面図である。
【符号の説明】
Ａ　配線器具
Ｂ　電設用ボックス
Ｗ　壁パネル
１０　ボックス本体
１１，１２，３１，３２，３３　ボックス分割体
１５，１６，３６，３７　パネル裏面当て用の突起片
２５　開口
４８　奥行き増長用脚部
【図１】
2004112933.tif 000003
【図２】
2004112933.tif 000004
【図３】
2004112933.tif 000005
【図４】
2004112933.tif 000006
【図５】
2004112933.tif 000007
【図６】
2004112933.tif 000008
【図７】
2004112933.tif 000009
【図８】
2004112933.tif 000010
【図９】
2004112933.tif 000011
【図１０】
2004112933.tif 000012
【図１１】
2004112933.tif 000013
【図１２】
2004112933.tif 000014
【図１３】
2004112933.tif 000015
【図１４】
2004112933.tif 000016
【図１５】
2004112933.tif 000017